(57)【特許請求の範囲】
【請求項１】
自立可能なチューブ状容器に装着される物品装飾用シートであって、
チューブ状容器は、変形容易なチューブ状の容器本体と、該容器本体の下端に固定された円筒状のキャップとを備え、容器本体は、その上端が前後方向にシールされていることにより、断面略円形の下部から上方に向けて徐々に前後方向の厚さが薄くなった扁平状の形状であり、
物品装飾用シートは、チューブ状容器が挿入される挿入孔を有する保持片部と、該保持片部の一端に折り曲げ罫線を介して延設され、チューブ状容器への装着状態において前記折り曲げ罫線で折り曲げられて上方に立ち上がる立ち上がり片部とを備え、
挿入孔の内側に向かって突片部が突設され、立ち上がり片部の上部には、チューブ状容器の上端の左右両隅部をそれぞれ差し込むための切り込みが左右一対形成され、
チューブ状容器への装着状態において、突片部が下方を向いてチューブ状容器のキャップに当接すると共に、突片部及びその周辺の保持片部の部分が一体となって折れ曲がることなく保持片部の他の部分に対して捻れた状態となってチューブ状容器の表面に沿うことを特徴とする物品装飾用シート。
【請求項２】
突片部は、立ち上がり片部を前側としたときに後側に形成されている請求項１記載の物品装飾用シート。
【請求項３】
突片部が前側と後側にそれぞれ形成されている請求項２記載の物品装飾用シート。
【請求項４】
突片部の基端部から先端部までの突出長さは、該突片部の基端部から保持片部の外縁までの長さよりも長い請求項１乃至３の何れかに記載の物品装飾用シート。
【請求項５】
挿入孔が折り曲げ罫線を越えて立ち上がり片部まではみ出さないように且つ折り曲げ罫線から離間しないように、折り曲げ罫線が挿入孔の開口縁部から伸びている請求項１乃至４の何れかに記載の物品装飾用シート。
【請求項６】
請求項１乃至５の何れかに記載の物品装飾用シートが装着された物品装飾用シート付きチューブ状容器。
【発明の詳細な説明】
【技術分野】
【０００１】
本発明は、物品を装飾するために該物品に装着される物品装飾用シート、及び、該シートが装着された物品に関する。
【背景技術】
【０００２】
従来、物品を装飾するためにタックラベルが多用されている。また、タックラベルの他にも例えば下記特許文献１所載のようにシートを立体状に組み立てて物品に装着するようにしたものも存在する。該公報所載の組立式立体ラベルは、一枚の縦長のシートに形成した挿入孔に物品の下部を上方から挿入して該挿入孔の開口縁部に物品の下部を係止すると共に、該シートの前後両側を上方に折り曲げて左右方向に開口した筒状に形成する構成である。
【０００３】
しかしながら、この組立式立体ラベルはシートを筒状に形成する構成であるので、使用するシートのサイズが大きくなるうえに、筒状にするための複雑な構造も必要であって、更には、筒状に組み立てながら物品に装着することになるので物品への装着作業も大変である。
【０００４】
また、図１１のように、一枚のシートから構成された物品装飾用シート１０１も考えられる。該物品装飾用シート１０１は、物品が挿入される挿入孔１３０を有する保持片部１０３と、該保持片部１０３の一端に折り曲げ罫線１０５を介して延設された立ち上がり片部１０４とを備えている。該物品装飾用シート１０１を物品に装着する場合、挿入孔１３０に物品の下部を上方から挿入し、折り曲げ罫線１０５で立ち上がり片部１０４を保持片部１０３に対して上方に折り曲げて立ち上がり片部１０４を物品の前側に位置させる。そして、立ち上がり片部１０４の上部に形成された左右の切り込み１４０にそれぞれ物品の上端の左右両隅部を差し込む。
【０００５】
ところが、この物品装飾用シート１０１の構成では、挿入孔１３０と物品との間の隙間が大きく、また保持片部１０３は挿入孔１３０の開口縁部において物品と線あるいは点で接触することになるので、保持片部１０３が物品に安定して保持されない。そのため、物品に対して物品装飾用シート１０１が傾いたり位置ずれしたりしやすいという問題がある。また、仮に切り込み１４０から物品の両隅部が外れた場合には、立ち上がり片部１０４が前側に大きく倒れることにもなる。
【先行技術文献】
【特許文献】
【０００６】
【特許文献１】特開２００９−１２８８７３号公報
【発明の概要】
【発明が解決しようとする課題】
【０００７】
それゆえに本発明は上記従来の問題点に鑑みてなされ、簡単な構造で、チューブ状容器への安定した装着状態が得られる物品装飾用シート及び物品装飾用シート付きチューブ状容器を提供することを課題とする。
【課題を解決するための手段】
【０００８】
本発明は上記課題を解決すべくなされたものであって、本発明に係る物品装飾用シートは、自立可能なチューブ状容器に装着される物品装飾用シートであって、チューブ状容器は、変形容易なチューブ状の容器本体と、該容器本体の下端に固定された円筒状のキャップとを備え、容器本体は、その上端が前後方向にシールされていることにより、断面略円形の下部から上方に向けて徐々に前後方向の厚さが薄くなった扁平状の形状であり、物品装飾用シートは、チューブ状容器が挿入される挿入孔を有する保持片部と、該保持片部の一端に折り曲げ罫線を介して延設され、チューブ状容器への装着状態において前記折り曲げ罫線で折り曲げられて上方に立ち上がる立ち上がり片部とを備え、挿入孔の内側に向かって突片部が突設され、立ち上がり片部の上部には、チューブ状容器の上端の左右両隅部をそれぞれ差し込むための切り込みが左右一対形成され、チューブ状容器への装着状態において、突片部が下方を向いてチューブ状容器のキャップに当接すると共に、突片部及びその周辺の保持片部の部分が一体となって折れ曲がることなく保持片部の他の部分に対して捻れた状態となってチューブ状容器の表面に沿うことを特徴とする。
【０００９】
該構成の物品装飾用シートにあっては、挿入孔にチューブ状容器を挿入し、立ち上がり片部を折り曲げ罫線で折り曲げるようにして上方に立ち上げてチューブ状容器の前側に位置させる。このようなチューブ状容器への装着状態において、挿入孔の内側に向かって突設された突片部は、その基端部で折れ曲がることなくチューブ状容器の表面に沿った状態となる。突片部がその基端部で折れ曲がることなくチューブ状容器の表面に沿った状態となることにより、突片部の基端部近傍におけるシートの部分も突片部と一体となって折れ曲がることなく保持片部の他の部分に対して捻れた状態となってチューブ状容器の表面に沿った状態になる。即ち、突片部やその周辺部分がチューブ状容器の表面に面接触することになり、チューブ状容器との間の接触面積が増大する。
【００１０】
特に、突片部は、立ち上がり片部を前側としたときに後側に形成されていることが好ましい。立ち上がり片部の反対側に突片部が位置することにより、立ち上がり片部の下部がチューブ状容器に密着しやすくなって立ち上がり片部がより一層安定する。しかも、突片部及びその周辺部分が保持片部の他の部分に対して例えば略９０度程度捻られた状態となってチューブ状容器の表面にしっかりと当接し、また、その捻れの復元力が突片部からチューブ状容器に作用して、チューブ状容器に確実に保持される。
【００１１】
更に、突片部が前側と後側にそれぞれ形成されていることが好ましい。突片部を前側、即ち立ち上がり片部と同じ側にも形成することにより、立ち上がり片部の立ち上がった状態が安定する。
【００１２】
また、突片部の基端部から先端部までの突出長さは、該突片部の基端部から保持片部の外縁までの長さよりも長いことが好ましい。突片部の突出長さに対して突片部の基端部から保持片部の外縁までの長さが短いと、突片部の基端部から保持片部の外縁までの部位が突片部と一体となってチューブ状容器の表面に沿いやすくなる。
【００１３】
また、挿入孔が折り曲げ罫線を越えて立ち上がり片部まではみ出さないように且つ折り曲げ罫線から離間しないように、折り曲げ罫線が挿入孔の開口縁部から伸びていることが好ましい。このようにすれば、立ち上がり片部の下端部がチューブ状容器の表面に当接しやすくなって立ち上がり片部の立ち上がり状態が維持されやすくなる。挿入孔が折り曲げ罫線から離間していると立ち上がり片部とチューブ状容器との間に隙間が形成されやすくなって立ち上がり片部が安定しにくくなり、挿入孔が折り曲げ罫線を越えて立ち上がり片部にまではみ出していると挿入孔が大きくなって保持片部が安定しにくくなる。
【００１４】
また、本発明に係る物品装飾用シート付きチューブ状容器は、上記物品装飾用シートが装着された物品装飾用シート付きチューブ状容器である。
【００１５】
突片部の先端部が下方を向くと、突片部の近傍における保持片部の外縁は逆に上方を向くことになるので、立ち上がり片部の立ち上がり状態が安定する。
【発明の効果】
【００１６】
以上のように、物品装飾用シートがチューブ状容器に確実に保持されて安定した装着状態が得られる。また、チューブ状容器にしっかりと保持されるので、立ち上がり片部の立ち上がり状態も安定する。更に構造も簡単であって、チューブ状容器への装着作業も容易である。
【図面の簡単な説明】
【００１７】
【図１】本発明の一実施形態における物品装飾用シートを示す正面図。
【図２】同実施形態の物品装飾用シートを物品に装着した状態を示す正面図。
【図３】同実施形態の物品装飾用シートを物品に装着した状態を示す側面図。
【図４】同実施形態の物品装飾用シートを物品に装着した状態を示す背面図。
【図５】本発明の他の実施形態における物品装飾用シートを示す正面図。
【図６】同実施形態の物品装飾用シートを物品に装着した状態を示す側面図。
【図７】本発明の他の実施形態における物品装飾用シートを示す正面図。
【図８】同実施形態の物品装飾用シートを物品に装着した状態を示す側面図。
【図９】本発明の他の実施形態における物品装飾用シートを示す正面図。
【図１０】本発明の他の実施形態における物品装飾用シートを示す正面図。
【図１１】参考例としての物品装飾用シートを示す正面図。
【発明を実施するための形態】
【００１８】
以下、本発明の一実施形態に係る物品装飾用シートについて図１〜図４を参酌しつつ説明する。
【００１９】
本実施形態における物品装飾用シート１は、図１に示すように、一枚のプラスチックシートから縦長形状に形成されたものである。該物品装飾用シート１は、物品としてのチューブ状容器２が挿入される挿入孔３０を有する保持片部３と、該保持片部３の一端に折り曲げ罫線５を介して延設された立ち上がり片部４とを備えている。即ち、物品装飾用シート１は、横方向の折り曲げ罫線５によって立ち上がり片部４と保持片部３という二つの部位に区画されている。
【００２０】
保持片部３の挿入孔３０は全体として僅かに横長の楕円形状である。挿入孔３０が保持片部３の略中央に形成され且つ該挿入孔３０が保持片部３の大部分を占めているため、挿入孔３０の周囲には細幅の残部が形成される。尚、挿入孔３０の一部は折り曲げ罫線５の位置と一致しており、挿入孔３０の開口縁部はその一部において横方向に伸びる直線状の部分３１となっていて、その直線状の部分３１と折り曲げ罫線５とは一直線状になっている。即ち、折り曲げ罫線５は、挿入孔３０の開口縁部における直線状の部分３１から左右にそれぞれ横方向に伸びている。そして、挿入孔３０の開口縁部のうち、立ち上がり片部４とは反対側の位置には、挿入孔３０の内側に向かって突片部３２が突設されている。突片部３２は、全体として横長の長方形状であって、その基端部から先端部までの突出長さ（図１のＢ）は、横幅（図１のＡ）よりも短い。また、突片部３２の突出長さ（図１のＢ）は、突片部３２の形成箇所における保持片部３の残部の幅（図１のＣ）、即ち、突片部３２の基端部から保持片部３の外縁３３までの長さ（図１のＣ）よりも長い。
【００２１】
立ち上がり片部４は、横幅即ち折り曲げ罫線５の形成方向の寸法に対して、全長即ち折り曲げ罫線５に対して直交する方向の寸法が長い形状である。尚、立ち上がり片部４の横幅は、折り曲げ罫線５から離れる程に徐々に大きくなっている。立ち上がり片部４の上部には、チューブ状容器２の上端の左右両隅部をそれぞれ差し込むための切り込み４０が左右一対形成されている。該切り込み４０は、立ち上がり片部４の上部をチューブ状容器２に保持させるための保持手段である。
【００２２】
尚、物品装飾用シート１を構成するプラスチックシートとしては種々のものが使用可能であり、例えば、ポリプロピレン、ポリエチレンなどのポリオレフィン系、ポリエチレンテレフタラート、ポリブチレンテレフタラートなどのポリエステル系、ポリスチレン系、ポリアミド系などからなるシートが使用できる。特に、透明性と適度な強度とを有している、ポリオレフィン系及びポリエステル系のシートが好ましく、透明性に優れたポリプロピレン製シート及びポリエチレンテレフタラート製シートがより好ましい。その中でも特に、ポリエチレンテレフタラート製シートは比較的剛性が高く、シート厚みを低減しても適度な強度を維持できる点でより好ましい。尚、シートの厚さは、０．１ｍｍ〜１．０ｍｍ程度が好ましく、特に０．２ｍｍ〜０．６ｍｍ程度がより好ましい。更に、シートの主として裏面には各種の印刷が施される。例えば、立ち上がり片部４の裏面には印刷を施す一方、保持片部３の裏面には印刷しないということも可能である。また、折り曲げ罫線５は各種のプラスチックシート用の罫線が使用できる。
【００２３】
以上のように構成された物品装飾用シート１は、自立可能なチューブ状容器２に装着されて使用される。該チューブ状容器２は、図２〜図４に示すように、変形容易なチューブ状の容器本体２０と、該容器本体２０の下端に固定された円筒状のキャップ２１とを備えている。容器本体２０は、その下部において断面略円形であるが、上端が前後方向にシールされていることから、上方に向けて徐々に前後方向の厚さが薄くなって扁平状となっていく形状である。キャップ２１は、図示しない注出口を有するキャップ本体２２と、該キャップ本体２２の注出口を閉じるための回動蓋２３とから構成されている。回動蓋２３は、キャップ本体２２の下側にヒンジ部２４を介して回動可能に連結されて注出口を開閉することができる。尚、回動蓋２３には、ヒンジ部２４とは反対側の位置に引っかけ部２５が形成されており、回動蓋２３をキャップ本体２２に対して開く際に、指先を引っかけ部２５に引っかけることができるようになっている。尚、ヒンジ部２４が形成されている側を後側とし、引っかけ部２５が形成されている側を前側とする。また、キャップ本体２２には、回動蓋２３の引っかけ部２５に対応した位置に、指先が回動蓋２３の引っかけ部２５に引っかかりやすくするための誘導用凹部２６が形成されている。
【００２４】
このようなチューブ状容器２に物品装飾用シート１を装着する際には、まず挿入孔３０にキャップ２１側を挿入していく。挿入孔３０はキャップ２１よりも僅かに大きい程度であるが、突片部３２が形成されているため、その突片部３２はキャップ２１の挿入動作に伴って下方に押されることになる。突片部３２の基端部には折り曲げ罫線５が形成されていないので、キャップ２１によって押された突片部３２はその基端部において折れ曲がることなく下方を向いた状態となる。突片部３２が下方を向くとそれに伴って突片部３２が形成された箇所の周辺部分も一体となってチューブ状容器２の表面に沿った状態となる。つまり、図３及び図４のように保持片部３の後側の外縁３３が上を向いた状態となり、突片部３２及びその周辺部分は保持片部３の他の部分に対して略９０度捻れた状態となる。突片部３２が捻れて下方を向くことにより、図３のように保持片部３の両側部３４では下側凸に湾曲する。尚、保持片部３はキャップ２１の上端付近に位置することになり、図４のように突片部３２及びその周縁部分はキャップ２１の上端を上下に跨いた状態となる。
【００２５】
一方、立ち上がり片部４は折り曲げ罫線５で折れ曲がって上方に立ち上がり、両切り込み４０にチューブ状容器２の上端の両隅部をそれぞれ差し込むことで立ち上がり片部４の上部がチューブ状容器２に保持される。尚、このような装着状態において立ち上がり片部４の上端はチューブ状容器２よりも上方に突出する。また、立ち上がり片部４の横幅はチューブ状容器２の横幅よりも僅かに大きく、従ってチューブ状容器２の前側に位置する立ち上がり片部４によってチューブ状容器２の容器本体２０の大部分がカバーされることとなる。
【００２６】
このようにチューブ状容器２に物品装飾用シート１が装着された状態においては、後側に位置する突片部３２が略９０度捻られた状態となって下方を向いておりその周辺部分も一体となってチューブ状容器２の表面に沿った状態となっている。従って、保持片部３とチューブ状容器２との密着状態が高く保持片部３が安定する結果、物品装飾用シート１の装着状態が安定する。また、突片部３２の捻れ動作によって保持片部３が全体的に後方に引っ張られるため、立ち上がり片部４の特に下部がチューブ状容器２に押し付けられることになる。従って、立ち上がり片部４がふらつくことなく安定化すると同時に、立ち上がり片部４がチューブ状容器２の形状に沿って左右方向に若干湾曲することにもなるので、立ち上がり片部４の剛性も高くなる。従って、仮に、切り込み４０からチューブ状容器２の上端の隅部が外れたとしても、立ち上がり片部４が前方に大きく倒れるということがなく起立状態が確保される。このことは同時に装着作業のしやすさにもつながることになり、チューブ状容器２の上端の両隅部を切り込み４０に差し込む際において立ち上がり片部４が起立状態となっているので容易に差し込むことができる。
【００２７】
また、突片部３２が後方に位置しているので下方を向いた突片部３２と立ち上がり片部４とによってチューブ状容器２を前後に狭持することができ、より一層安定した装着状態が得られる。更に、突片部３２の突出長さに対して突片部３２の基端部から保持片部３の外縁３３までの長さが短いので、突片部３２から保持片部３の外縁３３までの範囲が一体となって姿勢変化しやすく、装着作業時に突片部３２がその基端部において不用意に折れ曲がってしまうことを防止できる。また更に、挿入孔３０の開口縁部から折り曲げ罫線５が伸びているので、立ち上がり片部４の下部が確実にチューブ状容器２に密着することになり、立ち上がり片部４の下部のぐらつきが抑制される。尚、本実施形態のようにチューブ状容器２をシュリンクラベルで覆わない場合には、突片部３２及びその周辺部分がキャップ２１の上端即ちキャップ２１と容器本体２０との境界部分を上下に跨ぐようになることで、キャップ２１と容器本体２０との境界部分への挿入孔３０の開口縁部の過度の食い込みを防止することができ、物品装飾用シート１をチューブ状容器２から容易に取り外すことができる。
【００２８】
尚、本実施形態では突片部３２を立ち上がり片部４とは反対側の後側に設けていたが、これに加えて、図５及び図６のように、立ち上がり片部４と同じ側である前側にも突片部３２を設けることもできる。この実施形態では、後側の突片部３２と略１８０度対向して前側にも同サイズの突片部３２を設けている。この物品装飾用シート１を図６のようにチューブ状容器２に装着すると、前側の突片部３２は立ち上がり片部４から連続的に下方に延びた状態となり、この前側の突片部３２によって立ち上がり片部４の立ち上がり状態がより一層安定する。しかも、万一、切り込み４０からチューブ状容器２が外れても、前側の突片部３２がキャップ２１に当接して突っ張りとなるので、それ以上の立ち上がり片部４の前側への傾倒が防止される。
【００２９】
また、このように前側に突片部３２を設ける場合には、図７のように後側の突片部３２よりも前側に突片部３２を長くすることも可能である。図８のようにチューブ状容器２に装着すると、前側の突片部３２の先端部がキャップ２１の引っかけ部２５まで達してその引っかけ部２５を前側の突片部３２が外側から覆う状態となる。従って、キャップ２１が不用意に開くということが防止され、簡易的ではあるがいたずら防止機能にもなる。
【００３０】
また、突片部３２の形成箇所は上述したような後側や前側には限られない。例えば、図９のように左右に突片部３２をそれぞれ設けることもできる。無論、左側あるいは右側の何れか一箇所のみに突片部３２を設けてもよい。また、左右にそれぞれ突片部３２を設ける場合でも、左右の突片部３２を同じ形状や同じ突出長さとせずに、形状や突出長さを変えてもよい。更に、左右に突片部３２を形成する場合でも、略１８０度対向して配置する他に、略１８０度対向配置から角度をずらせて配置するようにしてもよい。また、前後左右の合計四箇所に突片部３２を形成してもよい。
【００３１】
更に、図１０のように、挿入孔３０の開口縁部に切り込み３５あるいはスリットを形成して複数の突片部３２を形成するようにしてもよい。
【００３３】
また、立ち上がり片部４の全長や形状についても種々の変更が可能であり、同様に、保持片部３の形状についても種々の変更が可能である。突片部３２の個数についても任意である。また、挿入孔３０の形状や大きさ、位置についても種々の変更が可能であって、挿入孔３０が折り曲げ罫線５の形成位置を越えて立ち上がり片部４にはみ出すようにすることもできる。
【符号の説明】
【００３５】
１    物品装飾用シート
２    チューブ状容器（物品）
３    保持片部
４    立ち上がり片部
５    折り曲げ罫線
２０    容器本体
２１    キャップ
２２    キャップ本体
２３    回動蓋
２４    ヒンジ部
２５    引っかけ部
２６    誘導用凹部
３０    挿入孔
３１    直線状の部分
３２    突片部
３３    外縁
３４    側部
３５    切り込み
４０    切り込み
１０１  物品装飾用シート
１０３  保持片部
１０４  立ち上がり片部
１０５  折り曲げ罫線
１３０  挿入孔
１４０  切り込み
【図１】
0005779818.tif 000002
【図２】
0005779818.tif 000003
【図３】
0005779818.tif 000004
【図４】
0005779818.tif 000005
【図５】
0005779818.tif 000006
【図６】
0005779818.tif 000007
【図７】
0005779818.tif 000008
【図８】
0005779818.tif 000009
【図９】
0005779818.tif 000010
【図１０】
0005779818.tif 000011
【図１１】
0005779818.tif 000012